(57)【要約】【課題】人体が接近した際にプレ洗浄が可能でありながらも、節水化を図り得る小便器装置を提供する。【解決手段】ボウル部１０内に洗浄水を供給する給水機構２０を制御し、人体が接近すれば、第１洗浄を実行させ、人体が離間すれば、第２洗浄を実行させる制御部３０を備えた小便器装置１であって、前記ボウル部の底側に接続される排水管２に連通するように設けられた貯水部２５と、この貯水部に貯水させ、この貯水を前記ボウル部内に供給する補助給水機構２２と、を備えており、前記制御部は、前記第２洗浄の際に排水される排水の一部を前記貯水部に貯水させ、この貯水を前記第１洗浄の洗浄水として前記ボウル部内に供給させるように前記補助給水機構を制御する。【選択図】図１
2017137699.tif 000002
【特許請求の範囲】
【請求項１】
ボウル部内に洗浄水を供給する給水機構を制御し、人体が接近すれば、第１洗浄を実行させ、人体が離間すれば、第２洗浄を実行させる制御部を備えた小便器装置であって、
前記ボウル部の底側に接続される排水管に連通するように設けられた貯水部と、この貯水部に貯水させ、この貯水を前記ボウル部内に供給する補助給水機構と、を備えており、
前記制御部は、前記第２洗浄の際に排水される排水の一部を前記貯水部に貯水させ、この貯水を前記第１洗浄の洗浄水として前記ボウル部内に供給させるように前記補助給水機構を制御することを特徴とする小便器装置。
【請求項２】
請求項１において、
前記制御部は、前記第２洗浄の際に予め設定された所定時間が経過すれば、前記貯水部への貯水を開始させるように前記補助給水機構を制御することを特徴とする小便器装置。
【請求項３】
請求項１または２において、
前記ボウル部には、上方に向けて開口する受け部の後方側に連なるように上方側に向けて立ち上がる奥側壁部と、この奥側壁部の上端側部位において前記第２洗浄の際に洗浄水を吐出する主吐出部と、この主吐出部よりも下方側部位において前記第１洗浄の際に洗浄水を吐出する補助吐出部と、が設けられていることを特徴とする小便器装置。
【請求項４】
請求項１乃至３のいずれか１項において、
前記貯水部の貯水を浄化処理する汚水処理部を備えていることを特徴とする小便器装置。
【発明の詳細な説明】
【技術分野】
【０００１】
本発明は、小便器装置に関する。
【背景技術】
【０００２】
従来より、ボウル部内に洗浄水を供給する給水機構を有した水洗式の小便器が知られている。このような小便器においては、押釦等を洗浄操作部として設けたものがあるが、押し忘れ等によって洗浄操作がなされなければ、洗浄がなされないという問題があった。
例えば、下記特許文献１には、人体の接近を検出すれば、所定のプレ洗浄時間の間、ボール部に洗浄水を供給するプレ洗浄を行い、人体が離反すれば、所定の本洗浄時間の間、ボール部に洗浄水を供給する本洗浄を行う便器洗浄装置が開示されている。
【先行技術文献】
【特許文献】
【０００３】
【特許文献１】特開２００９−８４７９１号公報
【発明の概要】
【発明が解決しようとする課題】
【０００４】
しかしながら、上記特許文献１に記載された便器洗浄装置では、プレ洗浄及び本洗浄の両洗浄において給水部から洗浄水が供給されるため、給水部からの水量を多く必要とし、更なる改善が望まれる。
【０００５】
本発明は、上記実情に鑑みてなされたものであり、人体が接近した際にプレ洗浄が可能でありながらも、節水化を図り得る小便器装置を提供することを目的としている。
【課題を解決するための手段】
【０００６】
上記目的を達成するために、本発明に係る小便器装置は、ボウル部内に洗浄水を供給する給水機構を制御し、人体が接近すれば、第１洗浄を実行させ、人体が離間すれば、第２洗浄を実行させる制御部を備えた小便器装置であって、前記ボウル部の底側に接続される排水管に連通するように設けられた貯水部と、この貯水部に貯水させ、この貯水を前記ボウル部内に供給する補助給水機構と、を備えており、前記制御部は、前記第２洗浄の際に排水される排水の一部を前記貯水部に貯水させ、この貯水を前記第１洗浄の洗浄水として前記ボウル部内に供給させるように前記補助給水機構を制御することを特徴とする。
【発明の効果】
【０００７】
本発明に係る小便器装置は、上述のような構成としたことで、人体が接近した際にプレ洗浄が可能でありながらも、節水化を図ることができる。
【図面の簡単な説明】
【０００８】
【図１】本発明の一実施形態に係る小便器装置の一例を模式的に示す概略縦断面図である。
【図２】同小便器装置において実行される洗浄動作の一例を模式的に示す概略フローチャートである。
【発明を実施するための形態】
【０００９】
以下に本発明の実施の形態について、図面に基づいて説明する。
なお、以下の実施形態では、設置された小便器装置に対面した状態を基準として、手前側を前方、その逆側を後方とし、また、その状態を基準として上下方向等の方向を説明する。
【００１０】
図１及び図２は、本実施形態に係る小便器装置の一例を模式的に示す図である。
本実施形態に係る小便器装置１は、図１に示すように、ボウル部（鉢部）１０と、このボウル部１０内に洗浄水を供給する給水機構２０と、を備えている。また、小便器装置１は、この給水機構２０を制御し、人体が接近すれば、第１洗浄を実行させ、人体が離間すれば、第２洗浄を実行させる制御部３０を備えている。また、小便器装置１は、ボウル部１０の底側に接続される排水管２に連通するように設けられた貯水部２５と、この貯水部２５に貯水させ、この貯水をボウル部１０内に供給する補助給水機構２２と、を備えている。図例では、床に載置されるように設置されるいわゆる床置型の縦長の小便器装置１を例示しているが、壁面に引っ掛けられるように設置される壁掛型の小便器装置１としてもよい。
【００１１】
ボウル部１０は、上方に向けて開口する受け部１５と、この受け部１５の後方側に連なるように上方側に向けて立ち上がる奥側壁部１１と、を一連状に設けた構成とされている。このボウル部１０を構成する小便器本体は、陶器製でもよく、合成樹脂製でもよい。この小便器本体を、例えば、アクリル樹脂等をベースとした有機ガラス系材料等から形成されたものとしてもよい。
受け部１５は、後方側が奥側壁部１１によって区画され、前方側が前方側壁部１６によって囲むように区画され、底側が底壁部１７によって区画されている。この受け部１５の前方側壁部１６は、底壁部１７から上方側に向けて立ち上がるように設けられている。また、この前方側壁部１６は、平面視して手前側に凸湾曲状となる略Ｕ字状（略半円状）とされ、便器幅方向両側の後端側が奥側壁部１１の便器幅方向両側の前方に向けて突出するように設けられた両側壁部１４，１４（図１では、一方の側壁部１４は不図示）の下端部に連なるように形成されている。
【００１２】
受け部１５の底壁部１７には、排水管２に接続される排水機構１８が設けられている。図例では、排水機構１８を、椀トラップ状のトラップ部を構成する着脱可能とされた目皿１８ａと壁側の排水管２に接続される排水管路１８ｂとを備えた構成としている。なお、この排水管路１８ｂが後記する貯水部２５に連通するように接続される排水管を構成するものとしてもよい。また、排水機構１８としては、図例のようなものに限られず、Ｐトラップ状のトラップ部を構成するものや、床側の排水管に接続されるもの等、その他、種々の構成とされたものとしてもよい。
また、ボウル部１０内面を構成する底壁部１７の上方側に向く面は、目皿１８ａに設けられた排水孔の部位が最も低い位置となるように、外周側部位から中央側の排水孔に向かうに従い下るように傾斜する傾斜面状とされている。
【００１３】
また、ボウル部１０には、ボウル部１０内に給水機構２０からの洗浄水を吐出する吐出部１２，１３が設けられている。本実施形態では、プレ洗浄となる第１洗浄の際に洗浄水を吐出する補助吐出部１３と、本洗浄となる第２洗浄の際に洗浄水を吐出する主吐出部１２と、を異なる箇所に設けた構成としている。つまり、主吐出部１２に洗浄水を供給する主給水路２１と補助吐出部１３に洗浄水を供給する補助給水路２６とを連通させることなく個別に設けた構成としている。また、主吐出部１２を、奥側壁部１１の上端側部位において洗浄水を吐出するように設け、補助吐出部１３を、この主吐出部１２よりも下方側部位において洗浄水を吐出するように設けた構成としている。
【００１４】
主吐出部１２は、奥側壁部１１の便器幅方向略中央部に位置するように設けられている。この主吐出部１２は、ボウル部１０内面を構成する奥側壁部１１の手前側を向く面（手前側面）に沿わせて洗浄水を流下させるように吐出する構成とされている。このような主吐出部１２としては、奥側壁部１１の手前側面に沿わせて放射状に広がるように洗浄水が流下するように、手前側面に向けて洗浄水を吐出するいわゆるスプレッダーとしてもよい。例えば、この主吐出部１２を、奥側壁部１１の手前側面の便器幅方向の広範囲に亘って洗浄が可能なように、便器幅方向に長尺状（横長状）とされたものや、円形状等とされたものとしてもよい。なお、図１では、主吐出部１２を簡略化して示している。
【００１５】
補助吐出部１３は、主吐出部１２と同様、奥側壁部１１の便器幅方向略中央部に設けられ、放射状に広がるように洗浄水が流下するように、洗浄水を吐出するいわゆるスプレッダーとしてもよい。図例では、補助吐出部１３を、奥側壁部１１と底壁部１７との入隅部に設けた例を示しているが、奥側壁部１１の手前側面の上下方向略中央部よりも下方側となるような位置に設けた構成としてもよい。また、主吐出部１２よりも下方側部位に設けられる補助吐出部１３としては、奥側壁部１１の手前側面に設けられたものに限られず、両側壁部１４，１４のうちの両方または一方の内側面や、前方側壁部１６の内側面に設けられたものとしてもよい。
【００１６】
また、本実施形態では、小便器装置１に、人体の接近及び離間を検知する人体検知センサー１９を設けた構成としている。この人体検知センサー１９は、人体の接近及び離間を検知し、人体の在及び不在を検知する赤外線センサーやマイクロ波センサー等としてもよい。図例では、奥側壁部１１の主吐出部１２よりも上方側部位に人体検知センサー１９を設けた例を示している。また、人体検知センサー１９を、検知窓部が手前側面において露出するように奥側壁部１１に埋込状に設けた例を示している。なお、人体検知センサー１９としては、このような位置に設けられたものに限られず、小便器装置１の小便器本体から離間した位置に設けられるものとしてもよい。
【００１７】
給水機構２０を構成し、主吐出部１２に洗浄水を供給する主給水路２１の給水元としては、洗浄水を貯留する水洗タンクとしてもよいが、本実施形態では、給水管（水道管）を給水元とした水道直圧式としている。主給水路２１には、主給水路２１を開閉し、洗浄水を供給及び遮断する主給水弁２１ａが設けられている。
給水機構２０を構成する補助給水機構２２は、排水管２と貯水部２５とを接続する貯水側管路２４と、貯水部２５の貯水を補助吐出部１３に供給する補助給水路２６と、を備えている。補助給水路２６には、補助給水路２６を開閉し、洗浄水を供給及び遮断する補助給水弁２６ａが設けられている。本実施形態では、この補助給水弁２６ａを開放させれば、貯水部２５の貯水が自重によってボウル部１０内に供給される構成としている。この補助給水弁２６ａ及び上記した主給水弁２１ａは、開閉弁（ＯＮ／ＯＦＦ弁）としてもよい。
【００１８】
また、本実施形態では、補助給水機構２２に、排水管２よりも上方側に位置するように設けられた貯水部２５に排水管２を流れる排水を吸引して貯水させるポンプ２７を設けた構成としている。図例では、貯水部２５内を減圧することで貯水部２５に排水管２を流れる排水を貯水可能なように、貯水部２５内に吸引側を連通させるようにポンプ２７を設けた例を示している。なお、このような態様に代えて、貯水側管路２４の途中部位にポンプ２７を設けた態様等としてもよい。
また、補助給水機構２２には、排水管２を、外部排水管側となる下流側に連通させる状態と貯水側管路２４を介して貯水部２５に連通させる状態と貯水側管路２４を閉鎖する状態とに切り替えられる切替弁２３，２４ａが設けられている。本実施形態では、切替弁を、排水管２における貯水側管路２４との接続部の下流側に設けられた排水弁２３と、貯水側管路２４に設けられた貯水側開閉弁２４ａと、によって構成している。
【００１９】
つまり、排水弁２３を開とすれば、排水管２を介して外部に排水され、排水弁２３を閉、貯水側開閉弁２４ａを開とすれば、排水管２を流れる排水を、貯水側管路２４を介して貯水部２５に向けて送出可能となる。また、貯水側開閉弁２４ａ及び補助給水弁２６ａを閉とすれば、貯水部２５に貯水させた状態とできる。
これら排水弁２３及び貯水側開閉弁２４ａは、排水管２及び貯水側管路２４をそれぞれに開閉し、排水の通過を許容及び遮断する開閉弁（ＯＮ／ＯＦＦ弁）としてもよい。なお、このような態様に代えて、切替弁として、三方切替弁等を設けた態様としてもよい。
【００２０】
貯水部２５は、第２洗浄（本洗浄）の際に排水管２を介して排水される排水の少なくとも一部を貯水可能で、第１洗浄（プレ洗浄）に用いられる洗浄水の貯水が可能な容量とされたタンク状とされている。この貯水部２５の底側部位に貯水側管路２４及び補助給水路２６が接続され、この貯水部２５の天側部位にポンプ２７の吸引側が接続されている。
なお、この貯水部２５に、貯水有無を検知する貯水センサーや、貯水レベルが所定レベルであるか否かを検知する水位センサー等を設けた態様としてもよい。また、図例では、この貯水部２５や、各弁２１ａ，２３，２４ａ，２６ａ、ポンプ２７、制御部３０、後記する蓄電部２９等を、小便器本体外に位置するように図示しているが、これらのうちの一部または全てを、小便器本体内の適所に設けた態様としてもよい。
【００２１】
また、本実施形態では、補助給水機構２２に、貯水部２５の貯水を浄化処理する汚水処理部２８を設けた構成としている。
本実施形態では、この汚水処理部２８を、貯水部２５内に設けた構成としている。この汚水処理部２８としては、貯水部２５内の汚水を分解する触媒を利用して貯水を浄化処理する態様とされたものでもよい。本実施形態では、貯水部２５の貯水の有機物を分解して電子を放出する微生物等の生体触媒を利用する態様とされたものとしている。また、汚水処理部２８を、陽極及び陰極を構成する一対の電極が設けられ、触媒の分解によって得られた電子が一方の電極から他方の電極へ移動することで発電する機能を有したいわゆる微生物燃料電池として機能するものとしている。また、汚水処理部２８において発生した電力を蓄電する蓄電部２９を設けた構成としている。この蓄電部２９の電力を、当該小便器装置１における給電を要する人体検知センサー１９や、各弁２１ａ，２３，２４ａ，２６ａ、ポンプ２７、制御部３０等の各種機器に給電可能とした構成としてもよい。
【００２２】
なお、汚水処理部２８としては、微生物燃料電池として機能するものに限られず、一対の電極に通電することで、電気分解に伴う化学反応によって汚水を分解する態様とされたものや、種々の触媒や殺菌成分を用いて浄化処理する構成とされたものでもよい。
また、補助給水機構２２としては、上記のような態様に限られず、貯水部２５を排水管２よりも下方側に位置するように設け、補助給水路２６に、貯水部２５の貯水を吸引して補助吐出部１３に向けて供給するポンプ２７を設けた態様としてもよい。つまり、排水管２を流れる排水を、貯水側開閉弁２４ａを開とし、貯水側管路２４を介して自重によって貯水部２５に貯水可能とした態様としてもよい。
【００２３】
制御部３０は、小便器装置１の小便器本体の適所や、壁面等に設置されるリモコン装置に設けられている。
この制御部３０には、ＣＰＵ等の制御回路や、メモリ等によって構成され、各種動作プログラム等を記憶する記憶部等が設けられている。また、この制御部３０に、後記する種々の所定時間を設定したり、変更したりするための操作部を設けた構成としてもよい。また、この制御部３０には、上記した人体検知センサー１９や、各弁２１ａ，２３，２４ａ，２６ａ、ポンプ２７、汚水処理部２８等が信号線等を介して接続されている。この制御部３０によって、人体検知センサー１９の検知に基いて、各弁２１ａ，２３，２４ａ，２６ａやポンプ２７、汚水処理部２８等を備えた給水機構２０の作動制御がなされ、後記する洗浄動作がなされる。
【００２４】
また、制御部３０は、第２洗浄（本洗浄）の際に排水される排水の一部を貯水部２５に貯水させ、この貯水を第１洗浄（プレ洗浄）の洗浄水としてボウル部１０内に供給させるように補助給水機構２２を制御する構成とされている。また、本実施形態では、制御部３０を、第２洗浄（本洗浄）の際に予め設定された所定時間（第３時間）ｔ３が経過すれば、貯水部２５への貯水を開始させるように補助給水機構２２を制御する構成としている。
以下、本実施形態に係る小便器装置１において実行される洗浄動作の一例を、図２を参照して説明する。
【００２５】
まず、人体検知センサー１９が人体の接近を検知すれば（ステップ１００）、つまり、便器の使用開始を検知すれば、第１洗浄としてのプレ洗浄を実行させる（ステップ１０２〜１０４またはステップ１１１〜１１３）。
本動作例では、人体検知センサー１９が人体の接近を検知し（ステップ１００）、貯水部２５に貯水があれば（ステップ１０１）、所定の第２時間ｔ２が経過するまで、補助給水弁２６ａを開とする（ステップ１０２〜１０４）。これにより、貯水部２５からの洗浄水が補助吐出部１３を介してボウル部１０に供給され、第１洗浄としてのプレ洗浄がなされる。第２時間ｔ２は、貯水部２５からの洗浄水によってボウル部１０内面（本実施形態では、底面側部位）や排水機構１８を効果的にプレ洗浄可能なように適宜の時間としてもよく、例えば、貯水部２５に貯水された洗浄水の略全量の供給（排出）が可能な時間としてもよい。なお、このように、第２時間ｔ２が経過すれば補助給水弁２６ａを閉鎖させる態様に代えて、貯水部２５の貯水有無を検知する貯水センサーによる貯水無し検知に基いて補助給水弁２６ａを閉鎖させる態様等としてもよい。
【００２６】
また、ステップ１０１において、貯水部２５に貯水がなければ、上記したステップ１０２〜１０４に代えて、所定の第１時間ｔ１が経過するまで、主給水弁２１ａを開とする（ステップ１１１〜１１３）。これにより、給水元からの洗浄水が主吐出部１２を介してボウル部１０に供給され、第１洗浄としてのプレ洗浄がなされる。第１時間ｔ１は、上記同様の観点から適宜の時間としてもよい。また、この第１時間ｔ１を、後記する本洗浄としての第２洗浄の際に、主給水弁２１ａが開放される時間（第３時間ｔ３と第４時間ｔ４とを足し合わせた時間）と同程度の時間としてもよく、または、これよりも短い時間としてもよい。なお、このように、ステップ１０１において、貯水部２５に貯水がなければ、給水元からの洗浄水をプレ洗浄水として供給する態様に代えて、貯水部２５に貯水がない場合にも、所定の第２時間ｔ２が経過するまで、補助給水弁２６ａを開とする態様としてもよい。または、ステップ１０１において、貯水部２５に貯水がなければ、補助給水弁２６ａを開放させることなく、後記する本洗浄に移行する制御を実行する構成としてもよい。
【００２７】
上記のように、プレ洗浄を実行した後、人体検知センサー１９が人体の離間を検知すれば（ステップ１０５）、つまり、便器の使用終了を検知すれば、第２洗浄としての本洗浄を実行させる（ステップ１０６〜１１０）。
本動作例では、人体検知センサー１９が人体の離間を検知すれば、排水弁２３を開、貯水側開閉弁２４ａを閉とした状態で、主給水弁２１ａを所定の本洗浄時間（第３時間ｔ３と第４時間ｔ４とを足し合わせた時間）が経過するまで開とする（ステップ１０５〜１１０）。これにより、給水元からの洗浄水が主吐出部１２を介してボウル部１０に供給され、第２洗浄としての本洗浄がなされる。本洗浄時間は、ボウル部１０内面や排水機構１８を効果的に洗浄可能なように適宜の時間としてもよく、一般的な小便器装置の洗浄水供給時間と同程度としてもよい。また、この本洗浄時間を、上記した第２時間ｔ２よりも長くしてもよい。
【００２８】
また、主給水弁２１ａを開放させた後、所定の第３時間ｔ３が経過すれば（ステップ１０６、１０７）、主給水弁２１ａを開放させたままで、所定の第４時間ｔ４が経過するまで、排水弁２３を閉、貯水側開閉弁２４ａを開とし、ポンプ２７を作動させる（ステップ１０８〜１１０）。そして、第４時間ｔ４が経過すれば、主給水弁２１ａを閉、排水弁２３を開、貯水側開閉弁２４ａを閉とし、ポンプ２７を停止させる（ステップ１０９、１１０）。これにより、本洗浄の際に排水管２を流れる排水の一部が貯水側管路２４を介して貯水部２５に貯水される。第３時間ｔ３は、貯水部２５への汚水の混入を低下させる観点から適宜の時間としてもよく、排水機構１８のトラップ部の汚水の略全量が給水元からの洗浄水に置換されるように、適宜の時間としてもよい。例えば、この第３時間ｔ３を、３秒以上としてもよく、また、３秒〜５秒程度としてもよい。また、第４時間ｔ４は、貯水部２５にプレ洗浄において要する水量の貯水が可能なように適宜の時間としてもよい。
【００２９】
なお、ステップ１０８において、第３時間ｔ３が経過した際の排水弁２３の閉鎖、貯水側開閉弁２４ａの開放及びポンプ２７の作動タイミングは、同時である必要はなく、適宜の遅延時間等を設けるようにしてもよい。また、ステップ１１０において、第４時間ｔ４が経過した際の主給水弁２１ａの閉鎖、排水弁２３の開放、貯水側開閉弁２４ａの閉鎖及びポンプ２７の停止タイミングも同様、同時である必要はなく、適宜の遅延時間等を設けるようにしてもよい。例えば、貯水部２５に所定量の貯水がなされた後にも本洗浄が継続されるような態様等としてもよい。また、ステップ１０９、１１０において、第４時間ｔ４が経過すれば、貯水部２５への貯水動作を終了（排水弁２３を開、貯水側開閉弁２４ａを閉、ポンプ２７を停止）させる態様に代えて、以下のようにしてもよい。例えば、ステップ１０９、１１０において、貯水部２５に設けた水位センサーが貯水部２５の貯水レベルが所定レベル（満レベル）となったことを検知すれば、貯水部２５への貯水動作を終了（排水弁２３を開、貯水側開閉弁２４ａを閉、ポンプ２７を停止）させる態様等としてもよい。
また、上記した洗浄動作例は、一例に過ぎず、その他、種々の変形動作の実行が可能である。
【００３０】
本実施形態に係る小便器装置１は、上述のような構成としたことで、人体が接近した際にプレ洗浄（第１洗浄）が可能でありながらも、節水化を図ることができる。
つまり、人体が接近すれば、第１洗浄としてのプレ洗浄を実行させ、人体が離間すれば、第２洗浄としての本洗浄を実行させる制御部３０を備えた構成としている。従って、洗浄操作部を構成する押釦等を設けたようなものと比べて、押し忘れ等が生じず、使用がなされる毎に確実に洗浄することができる。また、排尿がなされる前や排尿初期のプレ洗浄として第１洗浄がなされるので、第１洗浄によってボウル部１０の内面等を濡らすことができ、ボウル部１０内面や排水機構１８のトラップ部内等への尿石の付着等を抑制することができる。また、第２洗浄としての本洗浄の際に排水される排水の一部を貯水部２５に貯水させ、この貯水を第１洗浄の洗浄水としてボウル部１０内に供給させるように補助給水機構２２を制御する構成としている。従って、プレ洗浄及び本洗浄に用いられる洗浄水の両方を水道等の給水元からの洗浄水としたものと比べて、節水化を図ることができる。
【００３１】
また、本実施形態では、制御部３０を、第２洗浄の際に予め設定された所定時間（第３時間）ｔ３が経過すれば、貯水部２５への貯水を開始させるように補助給水機構２２を制御する構成としている。従って、第２洗浄の開始と同時や第２洗浄の開始の直後に貯水部２５への貯水を開始させるようなものと比べて、貯水部２５の貯水中に含まれる尿（汚水）の割合を効果的に低減させることができ、第１洗浄に用いられる貯水の清浄性を向上させることができる。
【００３２】
また、本実施形態では、ボウル部１０の奥側壁部１１の上端側部位において第２洗浄の際に洗浄水を吐出する主吐出部１２と、この主吐出部１２よりも下方側部位において第１洗浄の際に洗浄水を吐出する補助吐出部１３と、をボウル部１０に設けた構成としている。従って、単一の吐出部から第１洗浄の際の洗浄水及び第２洗浄の際の洗浄水を吐出させる態様としたものと比べて、本洗浄となる第２洗浄に用いられる洗浄水の清浄性を向上させることができる。つまり、第２洗浄の給水系統に貯水部２５の貯水が通過することがなく、第２洗浄の給水系統の清浄性を維持することができる。また、補助吐出部１３を主吐出部１２よりも下方側部位に設けているので、比較的に少ない水量で尿石の付着等がし易いボウル部１０の底面側部位等を濡らすことができる。また、貯水部２５を低い位置に設置することができるので、補助給水機構２２に設けられるポンプ２７を低い位置に設置することができ、ポンプ２７の小型化を図ることができる。なお、このような態様に代えて、第１洗浄の際の洗浄水と第２洗浄の際の洗浄水とを、共通の吐出部１２から吐出させる態様としてもよい。この場合は、例えば、貯水部２５に接続された補助給水路２６を、主給水路２１に接続するようにしてもよい。
【００３３】
また、本実施形態では、貯水部２５の貯水を浄化処理する汚水処理部２８を備えた構成としている。従って、第１洗浄に用いられる貯水の清浄性を効果的に向上させることができる。なお、このような汚水処理部２８を設けない態様としてもよい。
また、本実施形態では、補助給水機構２２の貯水部２５を、排水機構１８のトラップ部とは別途に設けた構成としている。従って、トラップ部を貯水部２５として機能させる態様とした場合と比べて、トラップ部に破封が生じたりすることなく、また、二重トラップとなるように複数のトラップ部を設ける必要がなく、異臭や排水トラブルの発生を抑制することができる。なお、このような態様に代えて、トラップ部を貯水部２５として機能させる態様としてもよい。この場合は、第１洗浄の際にトラップ部の溜水をポンプ等によって吸引してボウル部１０に供給するような態様等としてもよく、種々の変形が可能である。
また、小便器装置１の小便器本体の形状も、図例のような形状に限られず、種々の変形が可能である。
【符号の説明】
【００３４】
１    小便器装置
２    排水管
１０  ボウル部
１１  奥側壁部
１２  主吐出部
１３  補助吐出部
１５  受け部
２０  給水機構
２２  補助給水機構（給水機構）
２５  貯水部
２８  汚水処理部
３０  制御部
ｔ３  第３時間（所定時間）
【図１】
2017137699.tif 000003
【図２】
2017137699.tif 000004